(57)【要約】【目的】  基布面とこの基布面の裏面側に形成したパイル面の両方の面で清掃できる。基布面で清掃することが適した場所では基布面で清掃を行い、パイル面で清掃することが適した場所ではパイル面で清掃できる清掃部材を提供する。【構成】  保持具８に保持して使用する清掃部材１において、清掃部材１は、基布面４とこの基布面４の裏側のパイル面６とを有し、基布面４とパイル面４の両面をそれぞれ清掃面として使用する。また、パイル面６には、パイル５が植成されている。【選択図】  図４
2006149987.tif 000002
【特許請求の範囲】
【請求項１】
保持具に保持して使用する清掃部材において、前記清掃部材は、基布面とこの基布面の裏側のパイル面とを有し、前記基布面と前記パイル面の両面をそれぞれ清掃面として使用することを特徴とする清掃部材。
【請求項２】
前記パイル面には、面の全体にパイルが植成されている請求項１に記載の清掃部材。
【請求項３】
前記パイル面には、保持具の下面側に対応する領域にパイルが植成され、両縁部にはパイルが植成されない空白部を形成した請求項１に記載の清掃部材。
【請求項４】
前記基布面の基布の縦糸と横糸とが天然糸と合成糸からなる繊維糸群から選択される２種以上の繊維糸から構成される請求項１、２又は３に記載の清掃部材。
【請求項５】
前記パイル面のパイルが天然糸と合成糸からなる繊維糸群から選択される２種以上の繊維糸から構成されている請求項１乃至４のいずれかに記載の清掃部材。
【請求項６】
多数の短繊維を絡み合わせて単糸を形成し、この単糸複数本を撚り合わせて原糸とし、この原糸複数本を撚り合わせて複合糸としたとき、前記単糸、原糸及び複合糸からなる繊維糸群から繊維糸を選択し、この繊維糸により前記基布面の基布が形成されており、前記短繊維の平均太さが４．８ｄ（デニール）以下で、前記単糸の太さが５Ｓ（英国式番手）〜３５Ｓ（英国式番手）である請求項１〜５のいずれかに記載の清掃部材。
【請求項７】
前記短繊維の平均太さが１．４ｄ（デニール）〜４．８ｄ（デニール）である請求項６に記載の清掃部材。
【請求項８】
多数の短繊維を絡み合わせて単糸とし、この単糸複数本を撚り合わせて原糸とし、この原糸複数本を撚り合わせて複合糸としたとき、前記単糸、原糸及び複合糸からなる繊維糸群から繊維糸を選択し、この選択された繊維糸により前記パイル面のパイルが形成されており、前記短繊維の平均太さが３ｄ（デニール）以下で、単糸の太さが４Ｓ（英国式番手）〜１５Ｓ（英国式番手）である請求項１〜７のいずれかに記載の清掃部材。
【発明の詳細な説明】
【技術分野】
【０００１】
本発明は、保持具に保持して床面や壁面を清掃するための清掃部材に関し、特に基布面の裏側にパイル面を有し、これら基布面とパイル面の両面をそれぞれ清掃面として使用することが可能な清掃部材に関するものである。
【背景技術】
【０００２】
図２９、図３０は特開２００１−１０４２２８により開示される第１従来技術の払拭布の斜視図及び側面図である。この従来の払拭布は、図２９、図３０に示すように、基布１１２の表裏両面に、払拭布１１０を保持具１１７に保持させ状態で、保持具１１７の下面側に対応する領域にパイル起毛１１１が施されたパイル起毛部１１３が形成されている。
【０００３】
これは、パイル起毛１１１が保持具１１７の下面側に対応する領域に施されているので、パイル起毛１１１が基布１１２の表裏両面の全体に施されているものに比べて低資源で製造することができる。また、表裏両面のうち、片面のパイル起毛１１１が清掃するときに汚れた場合等に他方の面のパイル起毛１１１で繰り返し使用できる。
【０００４】
【特許文献１】２００１−１０４２２８号公報
【発明の開示】
【発明が解決しようとする課題】
【０００５】
ところが、上記した従来の払拭布では、基布１１２の表裏両面に、パイル起毛１１１が施されているために、清掃時には、パイル起毛１１１のみで清掃している。このため、パイル起毛１１１では清掃し難い場所では十分な清掃効果を発揮することができないという問題があった。また、従来の清掃部材は表裏両面のうち片面だけで清掃しており、基布面は清掃可能な繊維で形成されてなく、この基布面では清掃していない。
【０００６】
本発明は、上記従来の実情に鑑みてなされたものであり、基布面とこの基布面の裏面側に形成したパイル面の両方の面で清掃できる清掃部材を提供する。基布面で清掃することが適した場所では、この基布面で清掃を行い、パイル面で清掃することが適した場所ではこのパイル面で清掃できる清掃部材を提供することを目的とする。
【課題を解決するための手段】
【０００７】
本発明は、上記課題を解決するために提案されたものであって、本発明の第１の形態は、保持具に保持して使用する清掃部材において、前記清掃部材は、基布面とこの基布面の裏側のパイル面とを有し、前記基布面と前記パイル面の両面をそれぞれ清掃面として使用する清掃部材である。
【０００８】
本発明の第２の形態は、前記パイル面には、面の全体にパイルが植成されている清掃部材である。
【０００９】
本発明の第３の形態は、前記パイル面には、保持具の下面側に対応する領域にパイルが植成され、両縁部にはパイルが植成されない空白部を形成した清掃部材である。
【００１０】
本発明の第４の形態は、前記基布面の縦糸と横糸とが天然糸と合成糸からなる繊維糸群から選択される２種以上の繊維糸から構成される清掃部材である。
【００１１】
本発明の第５の形態は、前記パイル面のパイルが天然糸と合成糸からなる繊維糸群から選択される２種以上の繊維糸から構成されている清掃部材である。
【００１２】
本発明の第６の形態は、多数の短繊維を絡み合わせて単糸を形成し、この単糸複数本を撚り合わせて原糸とし、この原糸複数本を撚り合わせて複合糸としたとき、前記単糸、原糸及び複合糸からなる繊維糸群から繊維糸を選択し、この繊維糸により前記基布面の基布が形成されており、前記短繊維の平均太さが４．８ｄ（デニール）以下で、前記単糸の太さが５Ｓ（英国式番手）〜３５Ｓ（英国式番手）である清掃部材である。
【００１３】
本発明の第７の形態は、前記短繊維の平均太さが１．４ｄ（デニール）〜４．８ｄ（デニール）である清掃部材である。
【００１４】
本発明の第８の形態は、多数の短繊維を絡み合わせて単糸とし、この単糸複数本を撚り合わせて原糸とし、この原糸複数本を撚り合わせて複合糸としたとき、前記単糸、原糸及び複合糸からなる繊維糸群から繊維糸を選択し、この選択された繊維糸により前記パイル面のパイルが形成されており、前記短繊維の平均太さが３ｄ（デニール）以下で、単糸の太さが４Ｓ（英国式番手）〜１５Ｓ（英国式番手）である清掃部材である。
【発明の効果】
【００１５】
本発明の第１の形態によれば、基布面とこの基布面の裏側のパイル面とを有しているので、基布面とパイル面の両方を使用して清掃することができる。基布面で清掃することが適した場所では、この基布面を使用して清掃でき、パイル面で清掃することが適した場所では、このパイル面を使用して清掃できる。例えば、カーペットが敷かれた室内では、パイル面をこのカーペットに当接しながら清掃することが好ましく、室内の板張りの床面では、基布面をこの板張りの床面に押し付けながら清掃することが好ましい。更に、部屋の隅部などの清掃では、基布面で清掃すると隅々まで清掃することができる。パイル面のパイルの材質には、綿などの天然繊維のほか、払拭性のよい化学繊維、例えば、ナイロン繊維、アクリル繊維、レーヨン等のセルロース性繊維やポリビニルアルコール繊維、ポリエステル繊維、ポリオレフィン繊維、ポリ塩化ビニル繊維等がある。また、これらの混紡繊維も利用できる。これらは、紡績糸、マルチフィラメント等の形で、また巻縮糸、未巻縮糸の形でパイルに利用される。また、基布面の縦糸、横糸の材質には、麻、綿などの天然繊維のほか、各種の化学繊維が利用できる。この基布面の縦糸、横糸の材質としては、吸水性のよい繊維を使用することが望ましい。
【００１６】
本発明の第２の形態によれば、パイル面の全体にパイルが植成されているので、パイルを基布面の繊維に植成する際に、この製造が行い易い。また、パイル面の限られた部分だけを保持具に取り付ける必要がないので、保持具への装着が行い易い。
【００１７】
本発明の第３の形態によれば、パイル面には、保持具の下面側に対応する領域にパイルが植成されているので、パイル面の他の部分にパイルを植成する必要がなく、その分、パイルを省くことができ、省資源化を図ることができる。また、両縁部はパイルが植成されない空白部に形成されているので、この空白部を保持具に装着し易い。更に、清掃する際に、保持具の下側面に対応する領域に植成されたパイルで清掃するので、この清掃が行い易い。また、清掃部材全体の軽量化を図ることができる。
【００１８】
本発明の第４の形態によれば、基布面の縦糸と横糸が天然糸と合成糸からなる繊維糸群から選択される２種以上の繊維糸から構成されているので、縦糸の繊維糸に付着し易い塵はこの縦糸に付着して清掃される。また、横糸の繊維糸とは異なる横糸の繊維糸に付着し易い塵はこの横糸に付着して清掃される。このように、異なる繊維糸からなる縦糸と横糸で、これら縦糸と横糸の各々に付着し易い塵を清掃できるので、室内の異なる種類の塵を残すことなく清掃できる。例えば、縦糸に天然繊維を用い、横糸に化学繊維を用いることによって、天然繊維に付着し易い塵はこの縦糸で清掃でき、化学繊維に付着し易い塵はこの横糸で清掃できる。更に、化学繊維でも異種の繊維糸を縦糸と横糸に用いて、基布面を構成すれば、それぞれ異種の化学繊維糸に付着し易い異なる種類の塵を縦糸、横糸で清掃できる。また、基布面における縦糸のある範囲に天然繊維糸を用い、これと異なる範囲に化学繊維糸を用い、横糸のある範囲に天然繊維糸を用い、これと異なる範囲に化学繊維糸を用いることもできる。
【００１９】
本発明の第５の形態によれば、パイル面のパイルが天然糸と合成糸からなる繊維糸群から選択される２種以上の繊維糸から構成されているので、異なる繊維糸からなるパイルでそれぞれ付着し易い異なる塵を付着して清掃できる。このように、異なる繊維糸からなる異種のパイルで、それぞれ付着し易い塵を清掃できるので、室内の異なる種類の塵を残すことなく清掃できる。例えば、１種のパイル糸に天然繊維糸を用い、他種のパイルに化学繊維糸を用いることによって、天然繊維糸に付着し易い塵は前記１種のパイルで清掃でき、化学繊維糸に付着し易い塵は前記他種のパイル糸で清掃できる。また、化学繊維糸でも異種の繊維糸を前記１種のパイルと前記他種のパイルに用いて、それぞれのパイルを形成すれば、それぞれ異種の化学繊維糸に付着し易い塵をそれぞれのパイルで清掃できる。また、パイル面のある範囲のパイルに天然繊維糸を用い、これと異なる範囲のにパイルに化学繊維糸を用いることもできる。
【００２０】
本発明の第６の形態によれば、平均太さが４．８ｄ（デニール）以下の短繊維で、太さが５Ｓ（英国式番手）〜３５Ｓ（英国式番手）の単糸、この単糸から形成される原糸及び複合糸から選択された基布用繊維糸から基布面の基布が形成される。これにより、従来除去が困難であった繊維屑を容易に離脱できる。従って、基布面の基布から繊維屑を除去する人手作業が極力抑制され、場合によっては不要とすることができる。本発明者等は、パイル面のパイルや基布面の基布の最小構成単位が短繊維であることに着目し、ダスト捕集性と洗浄性も短繊維の性質に依存すると考えた。通常、短繊維は、長さが約３８ｍｍ、約５１ｍｍ、約７６ｍｍ等の短い繊維であり、ｄ（デニール）は繊維の太さを表す単位で、デニール数が大きくなるほど太くなる。短繊維の性質を規定しているのは、材質、長さ及び太さであり、特に短繊維の太さに着目し、太さが細くなるほどダスト捕集性と洗浄性（繊維糸の除去性）が向上することを発見した。また、この短繊維を絡み合わせて形成された単糸の太さはＳ（英国式番手即ち、綿番手）で表され、１Ｓ、２Ｓ、３Ｓと数が大きくなるほど単糸の太さは細くなる。平均太さが４．８ｄ（デニール）以下の短繊維を撚り合わせて形成された単糸は多数の間隙を内包し、表面積が大きく柔軟性に富んでいる。この単糸、またこの単糸から形成された原糸及び複合糸などの基布用の繊維糸は、ダスト捕集性が高く、柔軟性、吸水性に優れている。従って、この基布用の繊維糸を洗浄すると、洗浄水を十分吸収して柔軟になり、絡み付いた繊維屑が離脱し易くなる。しかも、太さが５Ｓ（英国式番手）以上の単糸は細くて柔軟性に優れているが、細くなり過ぎると繊維糸としての弾力性と耐久性が逆に低下する。この弾力性と耐久性の限界として、単糸の太さが３５Ｓ（英国式番手）以下であることが判明した。従って、繊維種に応じて５Ｓ（英国式番手）〜３５Ｓ（英国式番手）の単糸を基本とする基布用の繊維糸により基布面の基布を形成すれば、弾力性と耐久性を有し、しかも良好なダスト捕集性と洗浄性を有する基布が得ることができる。このように、平均太さが４．８ｄ（デニール）以下の短繊維で、５Ｓ（英国式番手）〜３５Ｓ（英国式番手）の単糸を基本とする基布面の基布は、ダスト捕集性が高く耐久性に優れているとともに、絡み付いた繊維屑が離脱し易いなど洗浄性を向上できる。
【００２１】
本発明の第７の形態によれば、平均太さが１．４ｄ（デニール）〜４．８ｄ（デニール）の短繊維から基布面の基布が形成されるので、耐久性に優れている。また、柔軟性が高く、洗浄時において吸水・膨張・柔軟という一連の過程により、基布面の基布は、洗剤を含んだ洗浄水の水流にほぐされて、基布に絡まった糸屑や髪の毛などの従来容易に除去できなかった繊維屑などを容易に離脱させることができるようになった。これは、基布面の基布が洗浄水の過流に柔軟に順応して容易に撹乱される性質を有するからである。その結果、基布に絡み付いたダストを容易に除去できるだけでなく、従来除去できなかった繊維屑も容易に除去できる。本発明者等は、短繊維のデニール数を変えて基布用の繊維糸の耐久性を調べた。その結果、平均太さが１．４ｄ（デニール）〜４．８ｄ（デニール）の短繊維から形成された基布用の繊維糸を基布面の基布として使用すれば、柔軟でダスト捕集性が高く、耐久性に優れた基布を形成できることが判明した。
【００２２】
本発明の第８の形態によれば、平均太さが３ｄ（デニール）以下の短繊維で４Ｓ（英国式番手）〜１５Ｓ（英国式番手）以下の短繊維を用いるから、パイル面のパイルに付着した繊維屑が洗浄により容易に脱離し、清掃部材から繊維屑を除去する人手作業が極力抑制される。また、場合によってはこの人手作業を不要とすることができる利点がある。本発明者等は、デニール数を変えて各種の清掃部材を形成して、ダスト捕集性と洗浄性を試験した。その結果、短繊維が３ｄ（デニール）以下で、しかも単糸が４Ｓ（英国式番手）以上１５Ｓ（英国式番手）以下から形成された繊維糸を利用すると、ダスト洗浄性と耐久性を向上できた。４Ｓ（英国式番手）以上の単糸は細くて柔軟性があるが、細くなり過ぎると繊維糸として弾力性と耐久性が逆に低下する。本発明者等は、弾力性と耐久性の限界として単糸の太さが１５Ｓ（英国式番手）以下であることを発見した。従って、パイルの繊維糸の材質に応じて、４Ｓ（英国式番手）以上１５Ｓ（英国式番手）以下の太さの単糸を適宜選択すれば、弾力性と耐久性を有し、しかも良好なダスト捕集性と洗浄性を有した繊維糸を形成できる。例えば、この繊維糸を使用すれば、柔軟性と弾力性が要求される床用清掃部材とか、柔軟性が要求される清掃部材など使用目的に応じた清掃部材を提供できる。１５Ｓ(英国式番手)以上の単糸は細くなりすぎ、弾力性及び耐摩耗性が小さく実用的でないことが分かった。従って、３ｄ（デニール）以下の短繊維から形成される単糸であって、単糸の太さが４Ｓ（英国式番手）以上１５Ｓ（英国式番手）以下である繊維糸を清掃部材のパイルの繊維糸に利用すれば、柔軟性と弾力性の両方を合わせ持っているので、ダスト捕集性と洗浄性がよく、耐久性のある高洗浄性の清掃部材を使用目的に応じて提供できる。
【発明を実施するための最良の形態】
【００２３】
以下、本発明に係る清掃部材の実施の形態を、添付する図１〜図１４に基づいて詳細に説明する。
図１は本発明に係る清掃部材の第１実施形態を示し、（１Ａ）はその平面図、（１Ｂ）はその右側面図、（１Ｃ）はその裏面図である。（１Ａ）に示すように、第１実施形態の清掃部材１は、その正面全体に縦糸２と横糸３で織り込まれた基布からなる基布面４が形成されている。また、（１Ｂ）（１Ｃ）に示すように、その裏面全体にパイル５が前記基布に植成されてパイル面６が形成されている。また、基布にはその表面と裏面に縁かがり７が施されている。
【００２４】
図２は第１実施形態の清掃部材を保持具に、そのパイル面が表側に位置するように取り付けた状態の斜視図である。図２に示すように、清掃部材１が取り付けられる保持具８は、略平板状の本体部９とこの本体部９の上面中央部に設けられ、左右一対の柄取付部１０，１０と、本体部９の左右に設けられた清掃部材取付部１１、１１とが備えられている。左右一対の柄取付部１０、１０には、柄１２の下部に挿着されたジョイント１３が取り付けられ、この柄１２が角度調整自在になるように構成されている。清掃部材取付部１１は、本体部９の上面左右に形成された凹所１４、１４に平面視三つ重ね団子状のゴム材１５，１５が着脱可能に嵌め込まれている。このゴム材１５の前後位置に、切溝１５ａが放射状に形成されている。この切溝１５ａに清掃部材１の縁部近傍を強制的に嵌め入れて清掃部材１を保持具８に装着する。
【００２５】
図２では、清掃部材１の裏面全体に形成されたパイル面６が表側に位置するように清掃部材１が保持具８に装着されている。この状態で、室内のカーペットなどを清掃するとき、このパイル面６のパイル５をカーペットの表面に当接し、柄１２を前後左右に移動してパイル面６を前後左右に移動させる。すると、カーペットの表面の塵等がパイル５に付着して清掃される。
【００２６】
図３は第１実施形態の清掃部材を保持具に、その基布面が表側に位置するように取り付けた状態の斜視図である。図３に示すように、保持具８の本体部９に、基布面４が表面に露出するように清掃部材１が装着される。清掃部材１の縁部を、保持具８の本体部９の凹所１４に取り付けたゴム材１５の切溝１５ａに嵌め入れることにより、清掃部材１が保持具８に装着される。この状態で、室内の板張りの床面等に、清掃部材１の基布面４を押し付け柄１２を前後左右に移動して本体部９を前後左右に移動することにより、清掃部材１の基布面４で床面等が清掃される。このとき、保持具８の本体部９と清掃部材１の基布面４との間にパイル面６が位置し、基布面４で床面等を清掃するときに、弾性感があるので清掃が行い易い利点がある。
【００２７】
図４は本発明に係る清掃部材の第２実施形態を示し、（４Ａ）はその平面図、（４Ｂ）はその右側面図、（４Ｃ）はその裏面図である。図４に示すように、第２実施形態の清掃部材１Ａは、その正面全体に縦糸２と横糸３で織り込まれた基布からなる基布面４が形成されている。また、（１Ｂ）（１Ｃ）に示すように、その裏面における保持具８（図５参照）の下面側に対応する領域と同じ領域にパイル５が前記基布に植成されてパイル面６Ａが形成されている。このパイル面６Ａにおけるパイル５の植成されていない両縁部には空白部１６が形成されている。また、基布にはその表面と裏面に縁かがり７が施されている。
【００２８】
図５は第２実施形態の清掃部材を保持具に、そのパイル面が表側に位置するように取り付けた状態の斜視図である。図５に示すように、第２実施形態の清掃部材１Ａをパイル面６Ａが露出するように保持具８に装着するには、保持具８の本体部９の下面側に対応する領域にパイル５の部分を位置させる。その後、保持具８の本体部９の凹所１４，１４に嵌め入れられたゴム材１５，１５の切溝１５ａに、清掃部材１Ａの空白部１６の縁部近傍を押し込んで装着する。この清掃部材１Ａは、その空白部１６をゴム材１５の切溝１５ａに嵌め入れて保持具８に装着するので、この装着を行い易く、また切溝１５ａから清掃部材１Ａが外れにくい利点がある。
【００２９】
図６は第２実施形態の清掃部材を保持具に、その基布面が表側に位置するように取り付けた状態の斜視図である。図６に示すように、保持具８の本体部９に、基布面４が表面に露出するように清掃部材１Ａが装着される。清掃部材１Ａの縁部を、保持具８の本体部９の凹所１４に取り付けたゴム材１５の切溝１５ａに嵌め入れることにより、清掃部材１Ａが保持具８に装着される。図５に示す場合とほぼ同様に裏面側のパイル面６Ａにおける空白部１６の位置する箇所をゴム材１５の切溝１５ａに嵌め入れて保持具８に装着するので、この装着を行い易い。また切溝１５ａから清掃部材１Ａが外れにくい利点がある。
【００３０】
図７は基布面の縦糸、横糸及びパイル面に植成されるパイル面のパイルを形成する元になる短繊維、単糸、原糸の形成図である。（７Ａ）は短繊維５０を撚り合わせて単糸５２を形成する説明図である。短繊維の太さはｄ（デニール）で表し、本実施形態ではパイル面６のパイル５として、３ｄ（デニール）以下の短繊維５０を使用する。また、基布面４の縦糸２、横糸３として、４．８ｄ（デニール）以下の短繊維５０を使用する。短繊維５０の長さは、例えば約３８ｍｍ、約５１ｍｍの程度であるから、これらの短繊維５０を多数撚り合わせて単糸５２を形成する。天然繊維には綿のように短繊維５０であるものが多いが、化学繊維ではフィラメント糸のような長繊維を短く切断して短繊維５０を形成する場合がある。（７Ｂ）は単糸５２を表している。多数の短繊維５０を平行に撚り合わせて単糸５２を形成する。前記フィラメント糸のような長繊維の化学繊維は、短く切断して短繊維５０にしてから単糸５２を形成する。
【００３１】
単糸５２の太さは前記Ｓ（英国式番手）で表し、大小各種の太さを形成できる。尚、Ｓは英国式番手の他に綿番手ともいう。本発明で使用される単糸５２の太さはパイル面６のパイル５として、少なくとも４Ｓ以上であり、好適には４Ｓ以上で１５Ｓ以下に調節される。また、基布面４の縦糸２、横糸３の単糸５２の太さは少なくとも５Ｓ以上であり、好適には５Ｓ〜３５Ｓに調節される。この単糸５２を複数本撚り合わせて原糸５４を形成する。（７Ｃ）は５本の単糸５２から構成される原糸５４を表している。単糸５２の材質により各種の原糸５４を作成でき、複数材料繊維の混紡からなる原糸５４も形成できる。原糸５４の撚りかたとその回数は多種多様であり、目的に応じて適宜調整される。これらの単糸５２、原糸５４を用いて、基布面４の縦糸２、横糸３が形成される。また、これら原糸５４から図８に示されるパイル面６のパイル５が形成される。また、原糸５４を複数本揃えて撚りを掛けて複合糸（図示略）が形成され、この複合糸を用いて基布面４の縦糸２、横糸３又はパイル面６のパイル５を形成してもよい。更に、基布面４の縦糸２、横糸３及び／又はパイル面６のパイル５は天然糸と合成糸からなる繊維群から選択される２種以上の繊維糸から構成されてもよい。
【００３２】
図８は図７（７Ｃ）に示す原糸から形成されるパイル面のパイルの形成図である。（８Ａ）はパイル糸５６を表している。（８Ａ）では２本の原糸５４からパイル糸５６を構成している。このパイル糸５６からパイル面６のパイル５を形成する。（８Ｂ）では先端がループ状に形成されたループパイル５ａが示されており、先端がループ状なので「ほつれ」などが生じることが少ない。（８Ｃ）では先端がカットされたカットパイル５ｂが示されている。パイル面６のパイル５としてループパイル５ａとカットパイル５ｂのいずれを使用するかは目的に応じて適宜選択される。このパイル糸５６を基布の裏面に多数縫い付けてパイル５を植設し、パイル面６が形成される。
【００３３】
上記した基布面４の縦糸２、横糸３及びパイル糸５６の材質には、綿などの天然繊維のほか、払拭性のよい化学繊維が利用できる。科学繊維としては、例えば、ナイロン繊維、レーヨン等のセルロース性繊維やポリビニルアルコール繊維、ポリエステル繊維、ポリオレフィン繊維、ポリ塩化ビニル繊維等がある。また、これらの混紡繊維が利用できる。これらは紡績糸、マルチフィラント等の形で、また巻縮糸、未巻縮糸の形で利用される。
【００３４】
縦糸２、横糸３を織り込んだ基布面４と多数のパイル５が植成されたパイル面６を有する清掃部材１を保持具８に装着して、清掃用具が構成される。保持具の形状を変えることにより、天井用、床用、壁用、廊下用などの各種用途に使用できる。この清掃部材１は、例えば、ダスト吸着用油剤を含浸させて使用するとよい。ダスト吸着用油剤としては、鉱物油や合成潤滑油等があり、これにカチオン界面活性剤等の界面活性剤を添加して使用することがある。ダスト吸着用油剤の含有量は一般的に５〜５０重量％であるが、使用目的に応じて適宜調整して使用する。また、前記ダスト吸着用油剤に替えて、洗浄剤を含浸させてもよい。更に、清掃用具の適所（例えば柄、把持部）に洗浄剤容器を配置し、この容器から適当量の洗浄剤を床面に吐射して、上記モップで清掃することもできる。
【実施例】
【００３５】
［清掃部材用パイル］
以下の実施例の記載では、ｄはデニールを表し、Ｓは英国式番手即ち、綿番手を表しているから、主としてｄ及びＳの記号を用いて説明し、デニール及び英国式番手の文字は省略する。本実施例では短繊維として綿繊維とナイロン繊維を用いる。綿繊維としては、０．５ｄ、１ｄ、２ｄ、３ｄからなる４種類の太さの短繊維を用意し、ナイロン繊維としては、０．５ｄ、１ｄ、２ｄ、３ｄ、４ｄ、６ｄからなる６種類の太さの短繊維を用意した。各短繊維に関し１Ｓ、２Ｓ、４Ｓ、６Ｓ、８Ｓ、１１Ｓ、１３Ｓ、１５Ｓ、１７Ｓ、１９Ｓからなる１０種類の太さの単糸を形成する。従って、１００種類の単糸が形成される。１Ｓ、２Ｓ、４Ｓ、６Ｓ、８Ｓ、１１Ｓの単糸は２本、１３Ｓ、１５Ｓ、１７Ｓ、１９Ｓの単糸は３本を揃えて、それぞれ１〜２回／インチの割合で撚り合わせて原糸とした。この同じ英国式番手の原糸を２本揃え、２〜３回/インチの割合で撚りをかけて清掃部材用パイルを作成した。従って、１００種類の清掃部材用パイルが用意された。
【００３６】
この清掃部材用パイルを基布に植設して、１００種類の清掃部材が形成された。これら１００種類の清掃部材を汚れがほぼ同一条件の家庭に供給して一週間の清掃にかけた。これらを回収して同一条件で洗浄し、再び清掃工程に回した。清掃→洗浄を９回反復した。最後に、第１０回目の清掃→洗浄を行った後、清掃部材のパイル面のダスト捕集性、洗浄後の繊維屑除去性（洗浄性）、洗浄後の仕上り及びパイルの耐久性について確認試験が行われた。
【００３７】
[実施例１〜１０：清掃部材用パイル（綿繊維）]
図９は実施例１〜１０の一覧図である。０．５ｄの短繊維（綿繊維）を用いて各英国式番手の単糸が形成され、それぞれの単糸、原糸及び複合糸などから形成された清掃部材用パイルについて上記項目別に目視で判定し、優は◎、良は○、可は△、不可は×で表している。パイルのダスト捕集性、洗浄後の繊維屑除去性は従来のパイルとの比較により判定し、洗浄後の仕上りについては柔軟性の観点から判定した。パイルの耐久性については外観の損耗から判定した。図９において、実施例９，１０に不具合が生じた。パイルの耐久性に問題があり、単糸の太さが原因と考えられる。
【００３８】
[実施例１１〜２０：清掃部材用パイル（綿繊維）]
図１０は実施例１１〜２０の一覧図である。１ｄの短繊維を用いて各英国式番手の単糸を形成し、それぞれの単糸、原糸及び複合糸などから形成された清掃部材用パイルについて実施例１〜１０と同様の方法で判定した。図１０において、実施例１９、２０に不具合が生じた。実施例１９、２０ともパイルの耐久性に問題があった。これも単糸の太さが原因と考えられる。
【００３９】
[実施例２１〜３０：清掃部材用パイル（綿繊維）] 
図１１は実施例２１〜３０の一覧図である。２ｄの短繊維を用いて各英国式番手の単糸を形成した。図１１において、実施例２１、３０に不具合が生じた。実施例２１は洗浄後の仕上りに、実施例３０はパイルの耐久性に問題があった。これも単糸の太さが原因と考えられる。
【００４０】
[実施例３１〜４０：清掃部材用パイル（綿繊維）]
図１２は実施例３１〜４０の一覧図である。３ｄの短繊維を用いて各英国式番手の単糸を形成した。実施例３１、３２、３３に不具合が生じた。実施例３１はダスト捕集性、洗浄後の繊維屑除去性及び洗浄後の仕上りに、実施例３２は洗浄後の繊維屑除去性及び洗浄後の仕上りに問題があった。これも単糸の太さが原因と考えられる。
【００４１】
以上の実施例１〜４０の判定結果から、綿製パイルを構成する単糸が３ｄ以下の短繊維から形成され、しかも単糸の太さが４Ｓ以上１５Ｓ以下の範囲において、ダスト捕集性、洗浄後の繊維屑除去性、洗浄後の仕上り及び清掃部材用パイルの耐久性に不具合がなかった。従って、３ｄ以下の短繊維から形成され、４Ｓ以上１５Ｓ以下の単糸を基本とする繊維糸から構成された清掃部材用の綿製パイルは、本発明の目的である高洗浄性（繊維屑除去性が大）を有することが証明された。
【００４２】
[実施例４１〜５０：清掃部材用パイル（ナイロン繊維）]
図１３は実施例４１〜５０の一覧図である。０．５ｄの短繊維（ナイロン繊維）を用いて英国式番手の単糸を形成し、それぞれの単糸、原糸及び複合糸などから形成された清掃部材用パイルについて実施例１〜１０と同様の方法で判定した。図１３において、実施例４９、５０に不具合が生じた。清掃部材用パイルの耐久性に問題があり、単糸の太さが原因と考えられる。
【００４３】
[実施例５１〜６０：清掃部材用パイル（ナイロン繊維）]
図１４は実施例５１〜６０の一覧図である。１ｄの短繊維を用いて各英国式番手の単糸を形成した。図１４において、実施例５１、６０に不具合が生じた。実施例５１は洗浄後の仕上りに、実施例６０は清掃部材用パイルの耐久性に問題があった。これも単糸の太さが原因と考えられる。
【００４４】
[実施例６１〜７０：清掃部材用パイル（ナイロン繊維）] 
図１５は実施例６１〜７０の一覧図である。２ｄの短繊維を用いて各英国式番手の単糸を形成した。図１５において、実施例６１、６２に不具合が生じた。実施例６１は洗浄後の繊維屑除去性と洗浄後の仕上りに、実施例６２は洗浄後の仕上りに問題があった。これも単糸の太さが原因と考えられる。
【００４５】
[実施例７１〜８０：清掃部材用パイル（ナイロン繊維）]
図１６は実施例７１〜８０の一覧図である。３ｄの短繊維を用いて各英国式番手の単糸を形成した。実施例７１、７２に不具合が生じた。実施例７１はダスト捕集性、洗浄後の繊維屑除去性及び洗浄後の仕上りに、実施例７２は洗浄後の仕上りに問題があった。これも単糸の太さが原因と考えられる。
【００４６】
[実施例８１〜９０：清掃部材用パイル（ナイロン繊維）]
図１７は実施例８１〜９０の一覧図である。４ｄの短繊維を用いて各英国式番手の単糸を形成した。実施例８１、８２、８３に不具合が生じた。実施例８１及び実施例８２はダスト捕集性、洗浄後の繊維屑除去性及び洗浄後の仕上りに、実施例８３は洗浄後の繊維屑除去性及び洗浄後の仕上りに問題がある。
【００４７】
[実施例９１〜１００：清掃部材用パイル（ナイロン繊維）]
図１８は実施例９１〜１００の一覧図である。６ｄの短繊維を用いて各英国式番手の単糸を形成した。実施例９１、９２、９３、９４に不具合が生じた。実施例９１、９２、９３はダスト捕集性、洗浄後の繊維屑除去性及び洗浄後の仕上りに、実施例９４は洗浄後の繊維屑除去性に問題がある。
【００４８】
以上の実施例４１〜１００の判定結果から、ナイロン製パイルにおいて、そのパイルを構成する単糸が３ｄ以下の短繊維から形成され、しかも原糸の太さが４Ｓ以上１５Ｓ以下の範囲において、ダスト捕集性、洗浄後の繊維屑除去性、洗浄後の仕上り及びパイルの耐久性に不具合がなかった。従って、３ｄ以下の短繊維から形成され、４Ｓ以上１５Ｓ以下の単糸を基本とする繊維糸から構成されたナイロン製パイルは、本発明の目的である高洗浄性（繊維屑除去性が大）を有することが証明された。
【００４９】
［清掃部材用基布］
綿繊維としては、１ｄ、１．４ｄ、２．５ｄ、３ｄからなる４種類の太さの短繊維を用意し、ナイロン繊維としては、１ｄ、１．４d、２．５ｄ、３．６ｄ、４．８ｄ、５．４ｄからなる６種類の太さの短繊維を用意した。各短繊維に関し１Ｓ、３Ｓ、５Ｓ、１１Ｓ、１７Ｓ、２３Ｓ、２９Ｓ、３５Ｓ、３７Ｓ，３９Ｓからなる１０種類の太さの単糸を形成する。１Ｓ〜１７Ｓの単糸は１本を、２３Ｓ〜３９Ｓの単糸は２本揃え、２〜３回/インチの割合で撚りをかけて清掃部材用基布の縦糸を作成した。従って、１００種類の清掃部材用基布に使用される縦糸が用意された。横糸として縦糸と同じｄ（デニール）の短繊維から形成された１１Ｓの単糸１本を用いて清掃部材用基布を作成し、パイルを植設して１００種類の清掃部材が形成された。これら１００種類の清掃部材を汚れがほぼ同一条件の家庭に供給して、清掃部材用パイルと同様の確認試験が行われた。
【００５０】
[実施例１０１〜１１０：清掃部材用基布（綿繊維）]
図１９は実施例１０１〜１１０の一覧図である。１ｄの短繊維（綿繊維）を用いて英国式番手の単糸を形成してそれぞれの単糸から縦糸を形成し、横糸に同じｄ（デニール）の１１Ｓ１本を用いて清掃部材用基布を作製した。図１９において、実施例１０８、１０９、１１０に不具合が生じた。清掃部材用基布の耐久性に問題があり、単糸の太さが原因と考えられる。
【００５１】
[実施例１１１〜１２０：清掃部材用基布（綿繊維）]
図２０は実施例１１１〜１２０の一覧図である。１．４ｄの短繊維を用いて各英国式番手の単糸を形成し清掃部材用基布を作製した。図２０において、実施例１１９、１２０に不具合が生じた。実施例１１９、１２０は清掃部材用基布の耐久性に問題があった。これも単糸の太さが原因と考えられる。
【００５２】
[実施例１２１〜１３０：清掃部材用基布（綿繊維）]
図２１は実施例１２１〜１３０の一覧図である。２．５ｄの短繊維を用いて各英国式番手の単糸を形成し清掃部材用基布を作製した。図２１において、実施例１２１、１３０に不具合が生じた。実施例１２１はダスト捕集性と洗浄後の仕上りに、実施例１３０は基布の耐久性に問題があった。これも単糸の太さが原因と考えられる。
【００５３】
[実施例１３１〜１４０：清掃部材用基布（綿繊維）]
図２２は実施例１３１〜１４０の一覧図である。３．０ｄの短繊維を用いて各英国式番手の単糸を形成し清掃部材用基布を作製した。実施例１３１、１３２、１４０に不具合が生じた。実施例１３１はダスト捕集性、洗浄後の繊維屑除去性及び洗浄後の仕上りに、実施例１３２はダスト捕集性と洗浄後の繊維除去性に、実施例１４０は基布の耐久性に問題があった。これも単糸の太さが原因と考えられる。
【００５４】
以上の実施例１０１〜１４０の判定結果から、１．４ｄ〜３．０ｄの短繊維から形成され太さが５Ｓ〜３５Ｓの単糸から形成された縦糸と、同じ短繊維で１１Ｓ１本から形成された横糸で作製された綿製基布は、ダスト捕集性、洗浄後の繊維屑除去性、洗浄後の仕上り及び清掃部材用基布の耐久性に不具合がなかった。従って、本発明に係る清掃部材用基布は、高洗浄性（繊維屑除去性が大）を有することが証明された。
【００５５】
[実施例１４１〜１５０：清掃部材用基布（ナイロン繊維）]
図２３は実施例１４１〜１５０の一覧図である。１ｄの短繊維（ナイロン繊維）を用いて各英国式番手の単糸を形成して清掃部材用基布を作製した。図２７において、実施例１４９、１５０に不具合が生じた。清掃部材用基布の耐久性に問題があり、単糸の太さが原因と考えられる。
【００５６】
[実施例１５１〜１６０：清掃部材用基布（ナイロン繊維）]
図２４は実施例１５１〜１６０の一覧図である。１．４ｄの短繊維を用いて各英国式番手の単糸を形成して清掃部材用基布を作製した。図２４において、実施例１５１、１５９、１６０に不具合が生じた。実施例１５１は洗浄後の繊維屑除去性に、実施例１５９、１６０は清掃部材用基布の耐久性に問題があった。これも単糸の太さが原因と考えられる。
【００５７】
[実施例１６１〜１７０：清掃部材用基布（ナイロン繊維）]
図２５は実施例１６１〜１７０の一覧図である。２．５ｄの短繊維を用いて各英国式番手の単糸を形成して清掃部材用基布を作製した。図２５において、実施例１６１、１７０に不具合が生じた。実施例１６１はダスト捕集性、洗浄後の繊維屑除去性及び洗浄後の仕上りに、実施例１７０は基布の耐久性に問題があった。
【００５８】
[実施例１７１〜１８０：清掃部材用基布（ナイロン繊維）]
図２６は実施例１７１〜１８０の一覧図である。３．６ｄの短繊維を用いて各英国式番手の単糸を形成して清掃部材用基布を作製した。実施例１７１、１７２に不具合が生じた。実施例１７１はダスト捕集性、洗浄後の繊維屑除去性及び洗浄後の仕上りに、実施例１７２はダスト捕集性及び洗浄後の繊維屑除去性に問題があった。
【００５９】
[実施例１８１〜１９０：清掃部材用基布（ナイロン繊維）]
図２７は実施例１８１〜１９０の一覧図である。４．８ｄの短繊維を用いて各英国式番手の単糸を形成して清掃部材用基布を作製した。実施例１８１、１８２に不具合が生じた。実施例１８１及び実施例１８２はダスト捕集性、洗浄後の繊維屑除去性及び洗浄後の仕上りに問題がある。
【００６０】
[実施例１９１〜２００：清掃部材用基布（ナイロン繊維）]
図２８は実施例１９１〜２００の一覧図である。５．４ｄの短繊維を用いて各英国式番手の単糸を形成して清掃部材用基布を作製した。実施例１９１、１９２、１９３、１９４に不具合が生じた。実施例１９１、１９２，１９３はダスト捕集性、洗浄後の繊維屑除去性及び洗浄後の仕上りに、実施例１９４はダスト捕集性と洗浄後の繊維屑除去性に問題がある。
【００６１】
以上の実施例１４１〜２００の判定結果から、１．４ｄ〜４．８ｄの短繊維から形成され、太さが５Ｓ〜３５Ｓの単糸から形成された縦糸と、同じ短繊維から形成された単糸１１Ｓ、１本から形成された横糸で織られたナイロン製基布は、ダスト捕集性、洗浄後の繊維屑除去性、洗浄後の仕上り及び清掃部材用基布の耐久性に不具合がなかった。従って、本発明に係るナイロン製基布は、高洗浄性（繊維屑除去性が大）を有することが証明された。
【産業上の利用可能性】
【００６２】
本発明の清掃部材は、保持具に保持することによって、天井用、床用、壁用、廊下用などの清掃に使用できる。また、購入して使用してもよく、清掃部材を取り替えて使用するレンタル用としても使用することが可能である。更に、保持具の種類によって、自動車清掃用、家庭用、業務用等の分野に利用できる。
【図面の簡単な説明】
【００６３】
【図１】本発明に係る清掃部材の第１実施形態を示し、（１Ａ）はその平面図、（１Ｂ）はその右側面図、（１Ｃ）はその裏面図である。
【図２】第１実施形態の清掃部材を保持具に、そのパイル面が表側に位置するように取り付けた状態の斜視図である。
【図３】第１実施形態の清掃部材を保持具に、その基布面が表側に位置するように取り付けた状態の斜視図である。
【図４】本発明に係る清掃部材の第２実施形態を示し、（４Ａ）はその平面図、（４Ｂ）はその右側面図、（４Ｃ）はその裏面図である。
【図５】第２実施形態の清掃部材を保持具に、そのパイル面が表側に位置するように取り付けた状態の斜視図である。
【図６】第２実施形態の清掃部材を保持具に、その基布面が表側に位置するように取り付けた状態の斜視図である。
【図７】基布面の縦糸、横糸及びパイル面に植成されるパイル面のパイルを形成する元になる短繊維、単糸、原糸を示し、（７Ａ）はその短繊維の形成図、（７Ｂ）はその単糸の形成図、（７Ｃ）はその原糸の形成図である。
【図８】図８は図７（７Ｃ）に示す原糸から形成されるパイル面のパイルを示し、（８Ａ）はそのパイル糸の形成図、（８Ｂ）はそのループパイルの形成図、（８Ｃ）はそのカットパイルの形成図である。
【図９】実施例１〜１０の一覧図である。
【図１０】実施例１１〜２０の一覧図である。
【図１１】実施例２１〜３０の一覧図である。
【図１２】実施例３１〜４０の一覧図である。
【図１３】実施例４１〜５０の一覧図である。
【図１４】実施例５１〜６０の一覧図である。
【図１５】実施例６１〜７０の一覧図である。
【図１６】実施例７１〜８０の一覧図である。
【図１７】実施例８１〜９０の一覧図である。
【図１８】実施例９１〜１００の一覧図である。
【図１９】実施例１０１〜１１０の一覧図である。
【図２０】実施例１１１〜１２０の一覧図である。
【図２１】実施例１２１〜１３０の一覧図である。
【図２２】実施例１３１〜１４０の一覧図である。
【図２３】実施例１４１〜１５０の一覧図である。
【図２４】実施例１５１〜１６０の一覧図である。
【図２５】実施例１６１〜１７０の一覧図である。
【図２６】実施例１７１〜１８０の一覧図である。
【図２７】実施例１８１〜１９０の一覧図である。
【図２８】実施例１９１〜２００の一覧図である。
【図２９】従来の払拭布の斜視図である。
【図３０】従来の払拭布の側面図である。
【符号の説明】
【００６４】
１        清掃部材
１Ａ      清掃部材
２        縦糸
３        横糸
４        基布面
５        パイル
５ａ      ループパイル
５ｂ      カットパイル
６        パイル面
６Ａ      パイル面
７        縁かがり
８        保持具
９        本体部
１０      柄取付部
１１      清掃部材取付部
１２      柄
１３      ジョイント
１４      凹所
１５      ゴム材
１５ａ    切溝
１６      空白部
５０      短繊維
５２      単糸
５４      原糸
５６      パイル糸
【図１】
2006149987.tif 000003
【図２】
2006149987.tif 000004
【図３】
2006149987.tif 000005
【図４】
2006149987.tif 000006
【図５】
2006149987.tif 000007
【図６】
2006149987.tif 000008
【図７】
2006149987.tif 000009
【図８】
2006149987.tif 000010
【図９】
2006149987.tif 000011
【図１０】
2006149987.tif 000012
【図１１】
2006149987.tif 000013
【図１２】
2006149987.tif 000014
【図１３】
2006149987.tif 000015
【図１４】
2006149987.tif 000016
【図１５】
2006149987.tif 000017
【図１６】
2006149987.tif 000018
【図１７】
2006149987.tif 000019
【図１８】
2006149987.tif 000020
【図１９】
2006149987.tif 000021
【図２０】
2006149987.tif 000022
【図２１】
2006149987.tif 000023
【図２２】
2006149987.tif 000024
【図２３】
2006149987.tif 000025
【図２４】
2006149987.tif 000026
【図２５】
2006149987.tif 000027
【図２６】
2006149987.tif 000028
【図２７】
2006149987.tif 000029
【図２８】
2006149987.tif 000030
【図２９】
2006149987.tif 000031
【図３０】
2006149987.tif 000032